(57)【要約】【課題】投影環境の明るさに応じて適切な明るさの投影像を投影することができるプロジェクタ付き電子カメラを提供する。【解決手段】本発明は、投影像を投影する投影手段を備えるプロジェクタ付き電子カメラに関し、投影手段が投影像を投影する環境の明るさを測定する測光手段と、測光手段で測定した明るさに基づいて投影像の明るさを制御する投影制御手段とを備えるようにしたものである。【選択図】図３
2008185822.tif 000002
【特許請求の範囲】
【請求項１】
投影像を投影する投影手段と、
前記投影手段が前記投影像を投影する環境の明るさを測定する測光手段と、
前記測光手段で測定した明るさに基づいて前記投影像の明るさを制御する投影制御手段とを備えることを特徴とするプロジェクタ付き電子カメラ。
【請求項２】
請求項１に記載のプロジェクタ付き電子カメラにおいて、
前記測光手段は、前記投影手段が前記投影像を投影していないときに前記投影像を投影する環境の明るさを測定することを特徴とするプロジェクタ付き電子カメラ。
【請求項３】
請求項１に記載のプロジェクタ付き電子カメラにおいて、
前記測光手段は、前記投影手段が前記投影像を他の投影像に切り替えるときに前記投影像を投影する環境の明るさを測定することを特徴とするプロジェクタ付き電子カメラ。
【請求項４】
請求項１に記載のプロジェクタ付き電子カメラにおいて、
前記測光手段は、前記投影像を投影する環境の明るさ測定が指示されたときに前記投影像を投影する環境の明るさを測定することを特徴とするプロジェクタ付き電子カメラ。
【請求項５】
請求項１乃至４のいずれか１項に記載のプロジェクタ付き電子カメラにおいて、
前記測光手段は、測光センサによる検出信号もしくは撮影用撮像素子による撮像信号を用いて前記明るさを測定することを特徴とするプロジェクタ付き電子カメラ。
【請求項６】
請求項１乃至５のいずれか１項に記載のプロジェクタ付き電子カメラにおいて、
前記投影手段によって投影する投影像の画像データより前記投影像のヒストグラムを算出するヒストグラム算出手段を備え、
前記投影制御手段は、前記ヒストグラム算出手段によって算出したヒストグラムに基づいて前記投影像の明るさを制御することを特徴とするプロジェクタ付き電子カメラ。
【請求項７】
請求項１に記載のプロジェクタ付き電子カメラにおいて、
前記測光手段は、前記投影手段によって投影像を投影する方向と異なる方向の明るさを測定することを特徴とするプロジェクタ付き電子カメラ。
【発明の詳細な説明】
【技術分野】
【０００１】
本発明は、画像などの情報を投影するプロジェクタ装置を備える電子カメラに関する。
【背景技術】
【０００２】
プロジェクタが組み込まれた電子機器が知られている（たとえば、特許文献１参照）。
【特許文献１】特開２００５−２５０３９２号公報
【発明の開示】
【発明が解決しようとする課題】
【０００３】
特許文献１に記載の電子機器は、周囲の明るさに関係なく一定の輝度で投影像を投影する。
【課題を解決するための手段】
【０００４】
（１）請求項１の発明のプロジェクタ付き電子カメラは、投影像を投影する投影手段と、投影手段が投影像を投影する環境の明るさを測定する測光手段と、測光手段で測定した明るさに基づいて投影像の明るさを制御する投影制御手段とを備えることを特徴とする。
（２）請求項２の発明は、請求項１に記載のプロジェクタ付き電子カメラにおいて、測光手段は、投影手段が投影像を投影していないときに投影像を投影する環境の明るさを測定することを特徴とする。
（３）請求項３の発明は、請求項１に記載のプロジェクタ付き電子カメラにおいて、測光手段は、投影手段が投影像を他の投影像に切り替えるときに投影像を投影する環境の明るさを測定することを特徴とする。
（４）請求項４の発明は、請求項１に記載のプロジェクタ付き電子カメラにおいて、測光手段は、投影像を投影する環境の明るさ測定が指示されたときに投影像を投影する環境の明るさを測定することを特徴とする。
（５）請求項５の発明は、請求項１乃至４のいずれか１項に記載のプロジェクタ付き電子カメラにおいて、測光手段は、測光センサによる検出信号もしくは撮影用撮像素子による撮像信号を用いて明るさを測定することを特徴とする。
（６）請求項６の発明は、請求項１乃至５のいずれか１項に記載のプロジェクタ付き電子カメラにおいて、投影手段によって投影する投影像の画像データより投影像のヒストグラムを算出するヒストグラム算出手段を備え、投影制御手段は、ヒストグラム算出手段によって算出したヒストグラムに基づいて投影像の明るさを制御することを特徴とする。
（７）請求項７の発明は、請求項１に記載のプロジェクタ付き電子カメラにおいて、測光手段は、投影手段によって投影像を投影する方向と異なる方向の明るさを測定することを特徴とする。
【発明の効果】
【０００５】
本発明によるプロジェクタ付き電子カメラでは、投影環境の明るさに基づいて投影像の明るさを制御する。したがって、投影環境の明るさに応じて適切な明るさの投影像を投影することができる。
【発明を実施するための最良の形態】
【０００６】
以下、図面を参照して本発明を実施するための最良の形態について説明する。
図１は、本発明の一の実施形態によるプロジェクタ付き電子カメラ（以下、ＰＪ付き電子カメラと呼ぶ）を斜め前方から見た図である。図１において、ＰＪ付き電子カメラ１０の正面には、撮影レンズ１１と、照明光窓１２と、プロジェクタ投射窓１３とが設けられている。ＰＪ付き電子カメラ１０の上面には、レリーズボタン１４と、ズームスイッチ１６と、モード切替ダイヤル１５と、メインスイッチ２２とが設けられている。
【０００７】
図２は、図１のＰＪ付き電子カメラ１０を斜め後方から見た図である。図２において、ＰＪ付き電子カメラ１０の背面には、液晶表示器１７と、電子ビューファインダー１８と、操作部材１９と、スピーカ孔２０とが設けられている。
【０００８】
ＰＪ付き電子カメラ１０は、机上などに載置された状態でＰＪ付き電子カメラ１０の正面側に配設されるスクリーンなどに向けて、内蔵する投射部（プロジェクタ）による画像などの投影情報をプロジェクタ投射窓１３から投影する。ＰＪ付き電子カメラ１０はスピーカ孔２０の裏側にスピーカ２１を内蔵しており、音声などの情報をＰＪ付き電子カメラ１０の後方へ向けて再生する。
【０００９】
モード切替えダイヤル１５は、撮影モードや投影モードなどのＰＪ付き電子カメラ１０の動作モードを切替えるためのモード切替え操作部材である。撮影モードは、被写体像を撮影し、撮影した画像データをメモリカードなどで構成される記録媒体に画像ファイルとして保存する動作モードである。撮影開始指示は、レリーズボタン１４の押下操作に応じて出力される操作信号が対応する。ＰＪ付き電子カメラ１０は、撮影時に被写体を照明する照明装置を内蔵する。撮影モードでは、スピーカ２１とともにスピーカ孔２０の裏側に内蔵されているマイクによって音声を集音し、その音声データを記録媒体に保存することも可能に構成されている。
【００１０】
投影モードは、撮影済みの画像データを記録媒体（たとえば、後述するメモリカード１５０や内部メモリ）から読出すなどして、画像データによる再生画像を投射部によってプロジェクタ投射窓１３から投影する動作モードである。音声データが記録されている場合にはスピーカ２１から音声再生も行う。投影ソースとしては、記録媒体に記録されているデータの他に、内部メモリに記録されているデータや、ＰＪ付き電子カメラ１０の外部から供給されるデータなどが選択可能である。投射部は、投影ソースの中から選択されたデータによる再生画像を投影する。複数のデータが選択された場合、投射部は、画像を順次切り替えて複数の画像データの再生画像を投影する。
【００１１】
ＰＪ付き電子カメラ１０には、プロジェクタ投射窓１３から投影された光が撮影レンズ１１のレンズ鏡筒Ｐでけられることがないように、レンズ鏡筒Ｐをカメラ筐体内に沈胴させる沈胴機構が設けられている。
【００１２】
図３は、ＰＪ付き電子カメラ１０の回路構成を説明するブロック図である。図３においてＰＪ付き電子カメラ１０は、投射部２２０と、撮像部１２０と、ＣＰＵ１０１と、メモリ１０２と、操作部材１０３と、液晶表示器１０４と、スピーカ１０５と、マイク１０６と、外部インターフェイス(I/F)１０７と、電源回路１０８とを有する。不図示のカードスロットには、メモリカード１５０が実装されている。メモリカード１５０は着脱可能である。また、不図示の電池ホルダに電池１０９が実装される。
【００１３】
ＣＰＵ１０１は、制御プログラムに基づいてＰＪ付き電子カメラ１０を構成する各部から入力される信号を用いて所定の演算を行うなどして、ＰＪ付き電子カメラ１０の各部へ制御信号を送出することにより、撮影動作および投影動作の制御を行う。ＣＰＵ１０１はＡＳＩＣ（ Application Specific Integrated Circuit ）より構成される。なお、制御プログラムはＣＰＵ１０１内の不図示の不揮発性メモリに格納されている。
【００１４】
メモリ１０２はＣＰＵ１０１の作業用メモリとして使用される。操作部材１０３は、図１におけるメインスイッチ２２、レリーズボタン１４、ズームスイッチ１６、モード切替えダイヤル１５、および図２の操作部材１９に対応する。操作部材１０３は、それぞれの操作内容に応じた操作信号をＣＰＵ１０１へ送出する。
【００１５】
メモリカード１５０はフラッシュメモリなどの不揮発性メモリによって構成され、ＣＰＵ１０１からの指示により撮像部１２０で撮影された画像のデータ書き込み、保存および読み出しが可能である。
【００１６】
測光装置１１２は、測光センサによる検出信号を用いて被写体の輝度を算出し、輝度情報をＣＰＵ１０１へ送出する。ＣＰＵ１０１は輝度情報に基づき、撮影モード時には露出演算を行い、制御露出を決定する。
【００１７】
電源回路１０８は、ＣＰＵ１０１からの指示によりオン／オフされ、オン時に電池１０９による電圧を各回路で必要な電圧に変換し、ＰＪ付き電子カメラ１０の各部へ電力を供給する。なお、ＣＰＵ１０１は、電源回路１０８のオン／オフ状態にかかわらず、電池１０９が装填されると常に通電されるように構成されている。
【００１８】
液晶表示器１０４（図２において符号１７に対応）は、ＣＰＵ１０１の指示により画像などの情報を表示する。スピーカ１０５（図２において符号２１に対応）は、ＣＰＵ１０１から出力される音声データによる音声を再生する。
【００１９】
マイク１０６は、集音した音声を電気信号に変換してＣＰＵ１０１へ送出する。音声信号のデータは、撮影モード時にメモリカード１５０に記録される。
【００２０】
外部インターフェイス(I/F)１０７は、ビデオカメラなどの外部機器から送信されるビデオ信号による再生画像を液晶表示器１０４に表示させたり、投射部２２０に投影させたりするために、ビデオ信号を画像データに変換し、変換後の画像データをＣＰＵ１０１へ送出する。また、外部インターフェイス(I/F)１０７は、外部機器から送信される音声信号をスピーカ１０５から再生させるための音声データに変換し、変換後の音声データをＣＰＵ１０１へ送出する。
【００２１】
＜撮像部＞
撮像部１２０は、撮影光学系１２１（図１において符号１１に対応）と、撮像素子１２２と、レンズ駆動部１２３と、撮影制御回路１２４と、鏡筒沈胴機構１２５とを含む。撮像素子１２２としては、ＣＣＤが用いられる。撮影制御回路１２４は、ＣＰＵ１０１からの指示により撮像素子１２２およびレンズ駆動部１２３を駆動制御するとともに、撮像素子１２２から出力される撮像信号（蓄積電荷信号）に対して所定の画像処理を行う。
【００２２】
撮影光学系１２１は、撮像素子１２２の撮像面上に被写体像を結像させる。撮影制御回路１２４は、撮影開始指示に応じて撮像素子１２２に撮像を開始させ、撮像終了後に撮像素子１２２から蓄積電荷信号を読出し、上記画像処理を施した上で画像データとしてＣＰＵ１０１へ送出する。
【００２３】
レンズ駆動部１２３は、撮影制御回路１２４から出力されるフォーカス調節信号に基づいて、撮影光学系１２１を構成するフォーカスレンズ（不図示）を光軸方向に進退駆動する。また、レンズ駆動部１２３は、撮影制御回路１２４から出力されるズーム調節信号に基づいて、撮影光学系１２１を構成するズームレンズ（不図示）を光軸方向（テレ側もしくはワイド側）へ進退駆動する。フォーカス調節量およびズーム調節量は、ＣＰＵ１０１から撮影制御回路１２４へ指示される。
【００２４】
＜投射部＞
投射部２２０は、投影光学系２２１と、液晶パネル２２２と、ＬＥＤ（発光ダイオード）光源２２３と、レンズ駆動部２２４と、投射制御回路２２５とを含む。投射制御回路２２５は電流可変回路部を有し、ＣＰＵ１０１から出力される投影指示に応じてＬＥＤ光源２２３へ供給される駆動電流の電流量を制御する。ＬＥＤ光源２２３は、供給電流に応じた明るさで液晶パネル２２２を照明する。
【００２５】
投射制御回路２２５はさらに、ＣＰＵ１０１から送出される画像データに応じて液晶パネル駆動信号を生成し、生成した駆動信号で液晶パネル２２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源２２３からの光を変調することにより、液晶パネル２２２が光像を生成する。
【００２６】
投影光学系２２１は、液晶パネル２２２から射出される光像をスクリーンなどへ向けて投影する。レンズ駆動部２２４は、投射制御回路２２５から出力されるフォーカス調節信号に基づいて、投影光学系２２１を構成するフォーカスレンズ（不図示）を光軸方向へ進退駆動する。レンズ駆動部２２４はさらに、投射制御回路２２５から出力されるズーム調節信号に基づいて、投影光学系２２１を構成するズームレンズ（不図示）を光軸方向へ進退駆動する。フォーカス調節量およびズーム調節量は、ＣＰＵ１０１から投射制御回路２２５へ指示される。
【００２７】
本発明は、上記ＰＪ付き電子カメラ１０が投影像を投影するとき使用するＬＥＤ光源２２３の明るさを制御する動作に特徴を有するので、投影モード時にＣＰＵ１０１によって行われる制御を中心に説明する。
【００２８】
図４は、ＰＪ付き電子カメラ１０のＣＰＵ１０１が投影モードにおいて実行するプログラムによるＬＥＤ光源２２３の明るさ制御処理の流れを説明するフローチャートである。図４による処理は、モード切替えダイヤル１５が投影モードへ切り替わるとスタートする。
【００２９】
図４のステップＳ４０１において、撮像部１２０の撮影制御回路１２４へ、撮影素子１２２への電源をオンするように指示する。ステップＳ４０２では、投影環境の明るさを検出する。具体的には、測光する。撮影素子１２２から出力される撮像信号に基づいて投影環境の明るさ、すなわち、外光を検出する。たとえば、撮像素子１２２の全画素の輝度値を加算して撮影環境の明るさを測定する。輝度値の加算値を以下では光量と呼ぶ。
【００３０】
ステップＳ４０３では、検出した光量が既定の閾値より大きいか否かを判定する。検出した光量が閾値より大きい場合はステップＳ４０３が肯定判定され、ステップＳ４０４へ進む。検出した光量が閾値以下の場合はステップＳ４０３が否定判定され、ステップＳ４０５へ進む。
【００３１】
ステップＳ４０４では、投射部２２０の投射制御回路２２５に対して、ＬＥＤ光源２２３に供給する駆動電流を電流値大にするように指示する。この実施の形態では、ＬＥＤ光源２２３に供給する駆動電流は、電流値大と電流値小との２つの電流値である。ステップＳ４０５では、投射部２２０の投射制御回路２２５に対して、ＬＥＤ光源２２３に供給する駆動電流の電流値を電流値小にするように指示する。
【００３２】
ステップＳ４０６では、撮影制御回路１２４に対して、撮影素子１２２への電源をオフするように指示する。ステップＳ４０７では、投射制御回路２２５に対して、ＬＥＤ光源２２３に駆動電流を供給するように指示する。
【００３３】
ステップＳ４０８では、画像の切り替えを行うか否かを判定する。画像の切り替えを行う場合はステップＳ４０８が肯定判定され、図５のステップＳ５０１へ進む。画像の切り替えを行わない場合はステップＳ４０８が否定判定され、ステップＳ４０９へ進む。
【００３４】
ステップＳ４０９では、モード切替えダイヤル１５の操作などによって、投影モードは終了したか否かを判定する。投影モードが終了した場合はステップＳ４０９が肯定判定され、ステップＳ４１０へ進む。投影モードが終了していない場合はステップＳ４０９が否定判定され、ステップＳ４０８へ戻る。ステップＳ４１０では、投射制御回路２２５に対して、ＬＥＤ光源２２３への駆動電流供給を停止するように指示する。そして、処理を終了する。
【００３５】
図５のステップＳ５０１において、投射制御回路２２５に対して、画像表示を終了するように指示して、いったん、真黒の画像を投影する。画像表示を終了すると、ＬＥＤ光源２２３を消灯したときと同じように周囲は暗くなる。なお、投影光学系の光路にシャッタを設け、投影像を遮断してもよい。
【００３６】
ステップＳ５０２では、撮影制御回路１２４に対して、撮影素子１２２への電源をオンするように指示する。ステップＳ５０３では、撮影素子１２２で外光を測光する。ステップＳ５０４では、検出した光量が既定の閾値より大きいか否かを判定する。検出した光量が閾値より大きい場合はステップＳ５０４が肯定判定され、ステップＳ５０５へ進む。検出した光量が閾値以下の場合はステップＳ５０４が否定判定され、ステップＳ５０６へ進む。
【００３７】
ステップＳ５０５では、投射制御回路２２５に対して、ＬＥＤ光源２２３に供給する駆動電流を電流値大にするように指示する。ステップＳ５０６では、投射部２２０の投射制御回路２２５に対して、ＬＥＤ光源２２３に供給する駆動電流を電流値小にするように指示する。
【００３８】
ステップＳ５０７では、撮影制御回路１２４に対して、撮影素子１２２への電源をオフするように指示する。ステップＳ５０８では、次に表示する画像の画像データを投射制御回路２２５に送信するとともに、投射制御回路２２５に対して画像表示を指示する。そして、図４のステップＳ４０９へ進む。
【００３９】
以上説明した実施形態によれば、次の作用効果が得られる。
（１）投影環境の明るさが所定値より明るい場合（ステップＳ４０６、Ｓ５０４を肯定判定）、ＬＥＤ光源２２３に供給する駆動電流の電流値を大きくした（ステップ６０４、Ｓ５０５）。そして、投影環境の明るさが所定値より暗い場合（ステップＳ４０６、Ｓ５０４を否定判定）、ＬＥＤ光源２２３に供給する駆動電流の電流値を小さくした（ステップ６０５、Ｓ５０６）。したがって、投影環境の明るさに応じて適切な明るさの投影像を投影することができる。また、周囲が暗いのに必要以上に投影像を明るくするような、電力の無駄な消費を抑制することができる。
【００４０】
（２）ＬＥＤ光源２２３に駆動電流を供給していないときに外光を測定する（ステップＳ４０２）する。したがって、投射部２２０から投射された投影像の影響を受けることなく投影環境の明るさを測定することができる。
【００４１】
（３）画像の切り替えのタイミング（ステップＳ５０１）で外光を検出し（ステップＳ５０３）、ＬＥＤ光源２２３に供給する電力量を制御した（ステップＳ５０５，７０６）。したがって、時間の経過とともに投影環境の明るさが変化する場合も、投影環境の明るさに応じて適切な明るさの投影像を投影することができる。また、画像が切り替わる間の何も投影されていない時間を利用して外光を検出するので、投影像の影響を受けずに外光を検出することができる。さらに、同じ投影像が投影されているとき投影像の明るさが急に変わると、観察者は違和感を覚えるのに対し、本発明の実施形態では、画像が変更されるのと同時に投影像の明るさが変わるので、観察者は投影像に対して違和感を覚えない。
【００４２】
（４）ＬＥＤ光源２２３の明るさ制御のために外光を検出するときにのみ撮像素子１２２の電源をオンにするので、投影像を投影するときの消費電力を節約することができる。
【００４３】
以上の実施の形態を次のように変形することができる。
（１）投影像を投影中は、画像切り替えのときにＬＥＤ光源２２３の明るさ制御が実行されたが、ＬＥＤ光源２２３の明るさ制御を手動で実行してもよい。たとえば、ＰＪ付き電子カメラ１０に、ＬＥＤ光源２２３の明るさ自動調整ボタンを設ける。そして、明るさ自動調整ボタンを押圧すると、投射部２２０による投影像の投影が中断し、図５のステップＳ５０２〜Ｓ５０７の処理が行われるようにしてもよい。観察者が、投影像が明るい、または暗いと感じたときに投影像の明るさを自動制御できるので利便性が向上する。
【００４４】
（２）投影像を投影中は、画像切り替えのときにＬＥＤ光源２２３の明るさ制御を実行したが、前回のＬＥＤ光源２２３の明るさ制御を実行してから所定時間（たとえば、５分）経過後にＬＥＤ光源２２３の明るさ制御を行うようにしてもよい。投影環境の明るさは、短い時間に急に変化するのは稀であるので、適切なタイミングでＬＥＤ光源２２３の明るさ制御を実行することができ、利便性が向上する。また、所定時間ごと（たとえば、５分ごと）にＬＥＤ光源２２３の明るさ制御を実行するようにしてもよい。
【００４５】
（３）撮影モードで使用する撮像素子１２２によってＬＥＤ光源２２３の明るさ制御のための外光を検出したが、測光装置１１２を使用して、ＬＥＤ光源２２３の明るさ制御のための外光を検出するようにしてもよい。また、投影モード専用の測光装置をＰＪ付き電子カメラ１０に設け、それを使用して外光を検出するようにしてもよい。
【００４６】
（４）画像データに基づく投影像のヒストグラムを計算し、そのヒストグラムよりＬＥＤ光源２２３の明るさ制御を実行するようにしてもよい。輝度分布が暗い側に偏っている場合は、投影像を明るくするようにＬＥＤ光源２２３に供給する電力量を増やし、輝度分布が明るい側に偏っている場合は、投影像を暗くするようにＬＥＤ光源２２３に供給する電力量を減らす。また、輝度分布の所定の明るさまでの積分値が所定の閾値より大きい場合は、投影像は暗いので、ＬＥＤ光源２２３に供給する電力量を増加し、輝度分布の所定の明るさまでの積分値が所定の閾値より小さい場合は、投影像は明るいので、ＬＥＤ光源２２３に供給する電力量を低減してもよい。画像を投影する前に、画像の明るさに対する適切なＬＥＤ光源２２３の明るさを決定することができ、利便性が向上する。
【００４７】
（５）投影環境の明るさと、投影像のヒストグラムとの両方に基づいて投影像の明るさを制御することによって、さらに適切な投影像の明るさで投影像を投影することができる。
【００４８】
（６）人間の目に残像が残る時間（人間の残像効果が得られる時間）内に、ＬＥＤ光源２２３の電力の供給を止め、その間に撮像素子１２２や測光装置１１２で外光を検出して、ＬＥＤ光源２２３に供給する電流量を決定するようにしてもよい。人間の残像効果が得られる時間内であれば、ＬＥＤ光源２２３の点灯が停止しても観察者は気がつかない。したがって、投影像の投影に対して制限を受けずにＬＥＤ光源２２３に供給する電流量を決定できるので、利便性が向上する。
【００４９】
（７）ＰＪ付き電子カメラ１０にボリュームスイッチなどを設け、ＬＥＤ光源２２３に供給する電力量を手動で調整できるようにし、電流値大、小に加えて手動で投影像の明るさを調整できるようにしてもよい。観察者の好みに合わせて投影像の明るさを調整できるので利便性が向上する。
【００５０】
（８）撮像素子１２２または測光装置１１２による測光方向を、投射部２２０による投影方向と異なるようにして、投影像に明るさが撮像素子１２２または測光装置１１２によって検出されないようにしてもよい。投影像を投影しながら、ＬＥＤ光源２２３の明るさ制御のための投影環境の明るさを検出することができ、便利である。たとえば、撮影画面の長手方向を水平方向にしたカメラの横位置撮影姿勢において、カメラ上方やカメラ左右側方の明るさを検出してもよい。あるいはＰＪ付き電子カメラ１０を机上などに置いて使用する場合には、カメラ背面方向の明るさを検出してもよい。
【００５１】
（９）投影環境の明るさが所定値より明るいか否かによって、ＬＥＤ光源２２３に供給する駆動電流を電流値大、または電流値小にした。しかし、投影環境の明るさに基づいて投影像の明るさを制御するものであれば、実施形態に限定されない。たとえば、投影環境の明るさが大きくなるにしたがって、ＬＥＤ光源２２３に供給する駆動電流の電流値を大きくし、投影環境の明るさが小さくなるにしたがって、ＬＥＤ光源２２３に供給する駆動電流の電流値を小さくするようにしてもよい。
【００５２】
以上の説明はあくまで一例であり、本発明は上記実施形態の構成に何ら限定されるものではない。
【図面の簡単な説明】
【００５３】
【図１】本発明の第一の実施形態によるＰＪ付き電子カメラを斜め前から見た図である。
【図２】本発明の第一の実施形態によるＰＪ付き電子カメラを斜め後から見た図である。
【図３】本発明の第一の実施形態によるＰＪ付き電子カメラの回路構成を説明するブロック図である。
【図４】本発明の第一の実施形態によるＬＥＤ光源の明るさ制御処理を説明するためのフローチャートである。
【図５】本発明の第一の実施形態によるＬＥＤ光源の明るさ制御処理を説明するためのフローチャートである。
【符号の説明】
【００５４】
１０…ＰＪ付き電子カメラ
１５…モード切替えダイヤル
１０１…ＣＰＵ
１０３…操作部材
１０４…液晶表示器
１１２…測光装置
１２０…撮像部
１２１…撮影光学系
１２２…撮像素子
１２４…撮影制御回路
２２０…投射部
２２３…ＬＥＤ光源
２２５…投射制御回路
【図１】
2008185822.tif 000003
【図２】
2008185822.tif 000004
【図３】
2008185822.tif 000005
【図４】
2008185822.tif 000006
【図５】
2008185822.tif 000007